(57)【特許請求の範囲】
【請求項１】
電線を切断した際の一方の電線端末を挿入して当該電線端末を覆う第１筒部、及び当該第１筒部の片方の端部に固定され、前記第１筒部の内部を通る電線を把持する第１把持部を有する第１端末キャップ部と、
前記電線を切断した際の他方の電線端末を挿入して当該電線端末を覆う第２筒部、及び当該第２筒部の片方の端部に固定され、前記第２筒部の内部を通る電線を把持する第２把持部を有する第２端末キャップ部と、を備え、
前記第１把持部及び第２把持部は、間接活線工具によって操作可能であり、
前記第１筒部の先端部は、前記第２筒部の先端部が挿入可能な開口を有し、
前記第１筒部の先端部に前記第２筒部の先端部が挿入された状態で互いに係合する係合部を更に備えることを特徴とする間接活線用直線スリーブカバー。
【請求項２】
前記第１筒部の内部及び前記第２筒部の内部に、電線端末が前記第１筒部及び前記第２筒部の先端部からそれぞれ突出することを規制するストッパ部を備え、
当該ストッパ部は、所定値以上の圧力が加わった場合に破断することを特徴とする請求項１記載の間接活線用直線スリーブカバー。
【請求項３】
請求項１又は２記載の間接活線用直線スリーブカバーを用いた間接活線用直線スリーブカバー取付方法であって、
電線を切断した際の一方の電線端末を、前記第１筒部に対して前記第１把持部側から挿入して、一方の電線端末を前記第１筒部によって覆うように前記第１端末キャップ部を電線に取り付け、
前記電線を切断した際の他方の電線端末を、前記第２筒部に対して前記第２把持部側から挿入して、他方の電線端末を前記第２筒部によって覆うように前記第２端末キャップ部を電線に取り付け、
一方の電線端末と他方の電線端末とを接続する作業を行う前に、前記第１端末キャップ部及び前記第２端末キャップ部をスライド移動させて電線端末から離間した位置に位置付け、
一方の電線端末と他方の電線端末とを接続した後に、前記第１端末キャップ部及び前記第２端末キャップ部をスライド移動させ、接続部位を前記第１筒部及び前記第２筒部の少なくともいずれか一方の内部に位置付けるように、前記第１筒部の先端部及び前記第２筒部の先端部とを係合させることを特徴とする間接活線用直線スリーブカバー取付方法。
【発明の詳細な説明】
【技術分野】
【０００１】
本発明は、一対の電線端末を直線スリーブによって接続した箇所に設けられ、充電部が露出しないように接続箇所を覆う間接活線用直線スリーブカバーに関する。
【背景技術】
【０００２】
従来、高圧配電線路で間接活線工具を用いて縁回し部分等の開放作業を行う場合や、電線を切断した場合などに、充電部が露出しないように電線端末に端末キャップを取り付け、充電部をカバーしている。
【０００３】
また、切断した電線を接続する際には、端末キャップを取り外し、アルミ線用圧縮直線スリーブを用いて電線端末同士を接続した後、充電部が露出しないようにその接続箇所を直線スリーブカバーでカバーしている。
【０００４】
また、従来、この種の技術としては、特許文献１に記載された技術がある。特許文献１によれば、電線を電気的に接続するスリーブを覆うものであって、蛇腹状の円筒を半割りした２つの半円筒体が開閉自在に連結されたカバー本体と、カバー本体を結合させて閉じた状態に保持する結合手段とを備えるスリーブカバーについて開示されている。
【先行技術文献】
【特許文献】
【０００５】
【特許文献１】特開２００９−４３６６６号公報
【発明の概要】
【発明が解決しようとする課題】
【０００６】
ところで、電線を無停電状態で工事する活線作業には、直接活線工法と間接活線工法の二通りがある。直接活線工法は、高圧ゴム手袋などの保護具を着用した作業者が、通電中の被覆電線に直接触れて配電工事を行う工法である。間接活線工法は、間接活線工具を用いて、作業者が通電中の被覆電線に直接触れることなく配電工事を行う工法である。
【０００７】
近年では、作業環境の改善の観点から、直接活線工法から間接活線工法へと転換が進行している。その一方で、間接活線工法は、間接活線工具を用いるため、直接活線工法よりも難易度が高い作業となる。このため、従来、間接活線工法による作業は、簡単でかつ工程数が少ないことが望ましい。
【０００８】
前述した電線の切断、接続作業においては、端末キャップの取り付け・撤去、電線端末の被覆の剥ぎ取り、直線スリーブへの挿入・圧縮、直線スリーブカバーの取り付け、といった作業工程があり、これらの作業が全て間接活線工法で行われる。これらの工程において、特に、端末キャップは、電線を切断してから接続するまでの間に一時的に用いる部品であり、電線の接続作業に用いられることはない。このため、端末キャップに関わる作業の簡略化又は省略化が望まれる。
【０００９】
本発明は、電線の切断、接続作業の簡略化又は省略化を実現する間接活線用直線スリーブカバー及びその取り付け方法を提供することを目的とする。
【課題を解決するための手段】
【００１０】
前記目的を達成するため、本発明は、次に記載する構成を備えている。
【００１１】
（１）  電線を切断した際の一方の電線端末を挿入して当該電線端末を覆う第１筒部、及び当該第１筒部の片方の端部に固定され、前記第１筒部の内部を通る電線を把持する第１把持部を有する第１端末キャップ部と、前記電線を切断した際の他方の電線端末を挿入して当該電線端末を覆う第２筒部、及び当該第２筒部の片方の端部に固定され、前記第２筒部の内部を通る電線を把持する第２把持部を有する第２端末キャップ部と、を備え、前記第１把持部及び第２把持部は、間接活線工具によって操作可能であり、前記第１筒部の先端部は、前記第２筒部の先端部が挿入可能な開口を有し、前記第１筒部の先端部に前記第２筒部の先端部が挿入された状態で互いに係合する係合部を更に備えることを特徴とする間接活線用直線スリーブカバー。
【００１２】
（１）によれば、第１筒部と第２筒部が分離した状態では、第１端末キャップ部と第２端末キャップ部とをそれぞれ独立した端末キャップとして使用することが可能になり、充電部が露出している一対の電線端末にそれぞれ第１端末キャップ部及び第２端末キャップ部を取り付けることにより、感電事故の発生を防ぐことができる。また、一対の電線の端末同士を接続する作業を行う前に、電線上において、第１端末キャップ部及び第２端末キャップ部をスライド移動させることによって電線端末から離間させる。一対の電線の端末同士を接続した後、第１端末キャップ部及び第２端末キャップ部をスライド移動させて第１筒部と第２筒部とを接続する。これにより、電線端末同士の接続部位を第１筒部及び第２筒部でカバーすることが可能になる。このように、従来における端末キャップを撤去する作業が省略され、しかも直線スリーブカバーを電線に取り付ける作業の簡略化が図れる。
【００１３】
（２）  （１）において、前記第１筒部の内部及び前記第２筒部の内部に、電線端末が前記第１筒部及び前記第２筒部の先端部からそれぞれ突出することを規制するストッパ部を備え、当該ストッパ部は、所定値以上の圧力が加わった場合に破断することを特徴とする間接活線用直線スリーブカバー。
【００１４】
（２）によれば、第１端末キャップ部と第２端末キャップ部を端末キャップとして使用する場合に、電線端末が端末キャップの先端から外部に露出することが防止されるため、感電事故の発生をより確実に防ぐことができる。また、一対の電線の端末同士を接続する作業を行う際には、電線端末を強くストッパ部に押し付けることにより、ストッパ部を破断させることにより、第１端末キャップ部及び第２端末キャップ部の先端から電線端末を突出させることが可能になる。
【００１５】
（３）  （１）、（２）の間接活線用直線スリーブカバーを用いた間接活線用直線スリーブカバー取付方法であって、電線を切断した際の一方の電線端末を、前記第１筒部に対して前記第１把持部側から挿入して、一方の電線端末を前記第１筒部によって覆うように前記第１端末キャップ部を電線に取り付け、前記電線を切断した際の他方の電線端末を、前記第２筒部に対して前記第２把持部側から挿入して、他方の電線端末を前記第２筒部によって覆うように前記第２端末キャップ部を電線に取り付け、一方の電線端末と他方の電線端末とを接続する作業を行う前に、前記第１端末キャップ部及び前記第２端末キャップ部をスライド移動させて電線端末から離間した位置に位置付け、一方の電線端末と他方の電線端末とを接続した後に、前記第１端末キャップ部及び前記第２端末キャップ部をスライド移動させ、接続部位を前記第１筒部及び前記第２筒部の少なくともいずれか一方の内部に位置付けるように、前記第１筒部の先端部及び前記第２筒部の先端部とを係合させることを特徴とする間接活線用直線スリーブカバー取付方法。
【００１６】
（３）によれば、（１）の間接活線用直線スリーブカバーと同様の効果を奏する。
【発明の効果】
【００１７】
本発明によれば、電線の切断及び接続作業の簡略化又は省略化を実現する間接活線用直線スリーブカバー及びその取付方法を提供することが可能になる。
【図面の簡単な説明】
【００１８】
【図１】本発明の一実施形態における間接活線用直線スリーブカバー１の構成を示す斜視図である。
【図２】図１の側面図である。
【図３】図１の正面図である。
【図４】係合部３０の構造を示す説明図である。
【図５】本実施形態における間接活線用直線スリーブカバー１の使用例を示す説明図である。
【発明を実施するための形態】
【００１９】
以下、本発明の実施形態について、図面を参照しながら詳細に説明する。
【００２０】
図１は、本発明の一実施形態における間接活線用直線スリーブカバー１の構成を示す斜視図、図２は、図１の側面図、図３は、図１の正面図である。
【００２１】
間接活線用直線スリーブカバー１は、第１端末キャップ部１０と、第２端末キャップ部２０と、第１端末キャップ部１０と第２端末キャップ部２０とを連結する係合部３０と、ストッパ部４０によって構成されている。第１端末キャップ部１０及び第２端末キャップ部２０は、独立した状態においてはそれぞれ電線端末の充電部を覆う端末キャップとして機能する。係合部３０によって第１端末キャップ部１０と第２端末キャップ部２０とを連結することにより、電線端末の接続部位を覆う直線スリーブカバーとして機能する。
【００２２】
第１端末キャップ部１０は、第１筒部１２と、第１把持部１４と、によって構成されている。
【００２３】
第１筒部１２は、両端部に開口を有しており、円筒部１２ａと、円筒部１２ａの一端部に形成される円筒形の太径部１２ｂと、第１把持部１４が固定される固定部１２ｃと、によって構成されている。
【００２４】
太径部１２ｂの外径は円筒部１２ａの外径より太く、太径部１２ｂの内径は円筒部１２ａの外径に略等しく形成されている。固定部１２ｃは、円筒部１２ａの孔部に連通する貫通孔を備えている。なお、以下の説明の便宜上、第１筒部１２における太径部１２ｂ側を先端側、反対側を基端側と称する場合がある。
【００２５】
第１把持部１４は、一対の把持片１５、１５と、支持軸１６と、トーションバネ１７と、を備えている。
【００２６】
把持片１５は、長手方向に延びる先端部１５ａ及び先端部１５ａから斜め方向に延びる基端部１５ｂを有する。
【００２７】
一対の把持片１５、１５は、先端部１５ａ及び基端部１５ｂが互いに対向するように配置されており、一対の把持片１５、１５の先端部１５ａにおける基端部１５ｂ側の端部が支持軸１６によって連結されている。トーションバネ１７のコイル状の部分は支持軸１６に遊嵌され、トーションバネ１７の両端部は基端部１５ｂ、１５ｂに内側から当接している。
【００２８】
一対の把持片１５、１５はそれぞれ支持軸１６を軸として回動自在であり、例えば、把持機能を有する間接活線工具に対向する一対の基端部１５ｂ、１５ｂを把持させ、一対の基端部１５ｂ、１５ｂを閉じるように間接活線工具を操作することによって、互いに対向する一対の先端部１５ａ、１５ａが離間する。逆に、一対の基端部１５ｂ、１５ｂを閉じた状態から開くように間接活線工具を操作することに、トーションバネ１７の付勢により一対の先端部１５ａ、１５ａが閉じられる。
【００２９】
一対の把持片１５、１５の先端部１５ａ、１５ａは、図３に示すように、固定部１２ｃの貫通孔の内側に配置されており、基端部１５ｂ、１５ｂを操作することにより、貫通孔の内側で開閉する。このため、第１把持部１４は、第１筒部１２に通された電線を把持することができる。
【００３０】
第２端末キャップ部２０は、第２筒部２２と、第２把持部２４と、によって構成されている。
【００３１】
第２筒部２２は、円筒部２２ａと、リング状の規制部２２ｂと、第２把持部２４が固定される固定部２２ｃと、によって構成されている。
【００３２】
円筒部２２ａは、第１筒部１２の円筒部１２ａと同径であり、太径部１２ｂに挿入可能である。円筒部２２ａの長さは、円筒部１２ａと太径部１２ｂとを足した長さに等しく設定されている。規制部２２ｂは、太径部１２ｂと同径であり、円筒部２２ａの先端から、太径部１２ｂの内側の長さの部位に設けられている。
【００３３】
なお、固定部２２ｃは、固定部１２ｃと同一構成であり、第２把持部２４は、第１把持部１４と同一構成であるため、説明は省略する。
【００３４】
係合部３０は、太径部１２ｂに円筒部２２ａを挿入して第１筒部１２と第２筒部２２とを連結した場合、第１筒部１２から第２筒部２２が抜けないように互いに係合するものである。係合部３０の詳細については、図４を用いて後述する。
【００３５】
ストッパ部４０は、円筒部１２ａ及び円筒部２２ａの内部にそれぞれ設置され、電線端末の先端側への移動を規制する絶縁部材である。本実施形態によれば、ストッパ部４０は、円筒部１２ａの先端部及び円筒部１２ａの規制部２２ｂの近傍に配置されている。
【００３６】
また、ストッパ部４０は、一般に、ゴムブッシングと称される部材であり、肉厚のリング部と、このリング部の内側に形成される薄膜部とを有している。薄膜部は、所定値以上の圧力が加わった場合に破断するように構成されている。本実施形態においては、第１端末キャップ部１０に基端側から電線を挿入し、電線端末上にストッパ部４０を載せた程度は破断せず、電線をストッパ部４０に強く押し付けた場合に破断するように薄膜部が構成されている。
【００３７】
図４は係合部３０の構造を示す説明図である。図４において、第１筒部１２については先端部の断面を示し、第２筒部２２については先端部の表面構造を示している。
【００３８】
係合部３０は、凹部群３２と、凸部群３４とによって構成されている。
【００３９】
凹部群３２は、第１筒部１２の先端部の内部表面に形成された複数の凹部３２ａからなる。本実施形態においては、凹部群３２が太径部１２ｂの内部側面全体に形成されている。
【００４０】
凸部群３４は、第２筒部２２の先端部の表面内部に形成された複数の凸部３４ａからなる。本実施形態においては、凸部群３４は、円筒部２２ａにおける規制部２２ｂより先端側の外部側面全体に形成されている。
【００４１】
凸部３４ａは三角錐形状であり、底面の三角形は先端側を向いている。また、凸部３４ａは、側面視した場合、先端側から基端側に上り傾斜する直角三角形として視認される。
【００４２】
凹部３２ａは、凸部３４ａが嵌合可能な大きさに形成されている。
【００４３】
そして、第１筒部１２の先端部すなわち太径部１２ｂに第２筒部２２の先端部すなわち円筒部２２ａを挿入することにより、第１端末キャップ部１０と第２端末キャップ部２０とが連結され、第１筒部１２と第２筒部２２とにより一本のスリーブ体が構成される。この際、凸部３４ａが凹部３２ａに嵌合する。凸部３４ａが凹部３２ａに嵌合した状態において、第１筒部１２から第２筒部２２を抜こうと互いに反対の方向に引っ張った場合、凸部３４ａが、所謂、かえりとして機能するため、第１筒部１２から第２筒部２２を抜くことが困難になる。
【００４４】
次に、本実施形態における間接活線用直線スリーブカバー１の使用例について、図５を参照しながら説明する。
【００４５】
使用前の間接活線用直線スリーブカバー１は、第１端末キャップ部１０と、第２端末キャップ部２０とに分かれた状態にある。
【００４６】
例えば、電線を切断する作業を行った場合に、間接活線工具を用いて、充電部が露出した状態の一方の電線端末に、図５（ａ）に示すように第１端末キャップ部１０を取り付けて充電部をカバーする。この際、作業員は、間接活線工具を用いて第１把持部１４の基端部１５ｂ、１５ｂ（図３参照）を把持し、基端部１５ｂ、１５ｂを閉じて把持片１５、１５（図３参照）が開いた状態を保ちながら、第１筒部１２に電線端末を基端側（把持部１４側）から挿入する。そして、電線端末がストッパ部４０に到達した時点で、基端部１５ｂ、１５ｂを開く。これにより、電線が第１把持部１４によって把持され、電線端末が第１端末キャップ部１０によってカバーされた状態で維持される。第２端末キャップ部２０についても同様に、図５（ａ）に示すように電線端末に取り付けて充電部をカバーする。
【００４７】
次に、電線端末同士を接続する作業について説明する。
まず、作業員は、間接活線工具を操作して、第１端末キャップ部１０における第１把持部１４の基端部１５ｂ、１５ｂ（図３参照）を閉じながら、第１端末キャップ部１０を電線端末から離す方向に強く押し込む。これにより、ストッパ部４０が電線端末によって破断され、電線端末が第１端末キャップ部１０の先端側から突出する。
【００４８】
更に、作業員は、間接活線工具を操作して、第１把持部１４の基端部１５ｂ、１５ｂを閉じながら、第１端末キャップ部１０を電線端末から離れた位置に移動させ、その位置で基端部１５ｂ、１５ｂを開くことにより、第１端末キャップ部１０が第１把持部１４によって電線に固定される。
【００４９】
すなわち、図５（ｂ）に示すように、作業員による間接活線工具の操作によって、第１端末キャップ部１０は電線端末から離れた位置に退避される。第２端末キャップ部２０についても同様に、図５（ｂ）に示すように、電線端末から離れた位置に退避される。
【００５０】
次に、作業員は直線スリーブ５０を用いて電線端末同士を接続する作業を行う。具体的には、作業員が間接活線工具を操作して、電線端末の被覆を除去し、図５（ｃ）に示すように、芯線を所定長露出させる。次に、図５（ｄ）に示すように、直線スリーブ５０の両端部から電線端末の芯線を挿入して、直線スリーブ５０を圧縮することにより、接続作業が完了する。
【００５１】
次に、作業員は間接活線用直線スリーブカバー１によって、圧縮後の直線スリーブ５０及びその周辺をカバーする作業を行う。具体的には、作業員が間接活線工具を操作して、退避状態の第１端末キャップ部１０及び第２端末キャップ部２０を、圧縮後の直線スリーブ５０側に移動させ、第１筒部１２の先端部に第２筒部２２の先端部を挿入する。これにより、図５（ｅ）に示すように、係合部３０が互いに係合した状態となり、圧縮後の直線スリーブ５０及びその周辺が、第１筒部１２と第２筒部２２と連結してなる１本のスリーブ体によってカバーされた状態となる。
【００５２】
以上説明したように構成された本実施形態によれば、第１筒部１２と第２筒部２２が分離した状態では、第１端末キャップ部１０と第２端末キャップ部２０をそれぞれ端末キャップとして使用することが可能になり、一対の電線端末にそれぞれ第１端末キャップ部１０及び第２端末キャップ部２０を取り付けることによって充電部周りがカバーされ、感電事故の発生を防ぐことができる。
【００５３】
また、第１端末キャップ部１０及び第２端末キャップ部２０を、電線上においてスライド移動させることによって電線端末から離間させ、一対の電線の端末同士を接続した後、第１筒部１２と第２筒部２２とを接続することにより、電線端末の接続部位を、一体化した第１筒部１２と第２筒部２２とによってカバーすることが可能になる。これにより、従来における端末キャップを撤去する作業が省略され、直線スリーブカバーを電線に取り付ける作業が簡略になる。このように本実施形態によれば、電線の切断、接続作業の簡略化又は省略化が可能になる。
【００５４】
また本実施形態によれば、第１端末キャップ部１０及び第２端末キャップ部２０を端末キャップとして使用する場合に、電線端末がストッパ部４０によって覆われるため、充電部となっている電線端末が、第１端末キャップ部１０及び第２端末キャップ部２０の先端部から露出することが確実に防止され、感電事故の発生をより確実に防ぐことができる。
【００５５】
また、例えば、電線端末をストッパ部４０に押し付けることにより、ストッパ部４０を破断することが可能であるため、ストッパ部４０を取り外したりあるいは破断したりするために特別な工具を用意することなく、第１端末キャップ部１０及び第２端末キャップ部２０を容易に電線端末から離間させることが可能になる。
【００５６】
また本実施形態によれば、第１把持部１４の基端部１５ｂ及び第２把持部２４の基端部２５ｂは、間接活線工具によって把持される把持片として機能する。
【００５７】
以上、本発明の実施形態について説明したが、本発明は上述した実施形態に限るものではない。例えば、上述した実施形態によれば、間接活線用直線スリーブカバー１を直線スリーブのカバーとして使用した場合、第１把持部１４及び第２把持部２４は、第１筒部１２及び第２筒部２２が移動しないようにそのまま電柱上に設置し、電線を把持させている。しかしながら、本発明はそれに限らず、第１筒部１２及び第２筒部２２から第１把持部１４及び第２把持部２４を取り外して、第１筒部１２及び第２筒部２２の端部と電線とを、絶縁テープを巻き付けることによって固定してもよい。これにより、第１把持部１４及び第２把持部２４を再利用することが可能になる。
【００５８】
また、係合部３０における、凸部３４ａ及び凹部３２ａの形状については上述したものに限るものではなく、要は、第１筒部１２と第２筒部２２とが連結された場合に、両者が再度分離できないように構成されるのであれば、凸部３４ａ及び凹部３２ａの形状は問わない。
【００５９】
また、本実施形態によれば、第１筒部１２に凹部３２ａ、第２筒部２２に凸部３４ａが形成されているが、第１筒部１２に凸部３４ａ、第２筒部２２に凹部３２ａが形成されていてもよい。但し、第１筒部１２の内面に凸部３４ａを形成した場合には、電線がストッパ部４０を破断して太径部１２ｂを通過する際に、電線が凸部３４ａに摺接して被覆が痛むおそれがあるため、凸部３４ａは、鋭利な部分をなくした形状であることが望ましい。なお、本実施形態のように、第１筒部１２の内面に凹部３２ａを形成した場合には、電線がストッパ部４０を破断して太径部１２ｂを通過する際に、電線の被覆が痛むことはない。
【符号の説明】
【００６０】
１  間接活線用直線スリーブカバー
１０  第１端末キャップ部
１２  第１筒部
１２ａ  円筒部
１２ｂ  太径部
１２ｃ  固定部
１４  第１把持部
１５  把持片
１５ａ  先端部
１５ｂ  基端部
１６  支持軸
１７  トーションバネ
２０  第２端末キャップ部
２２  第２筒部
２２ａ  円筒部
２２ｂ  規制部
２２ｃ  固定部
２４  第２把持部
３０  係合部
３２  凹部群
３２ａ  凹部
３４  凸部群
３４ａ  凸部
４０  ストッパ部
５０  直線スリーブ
【要約】
【課題】電線の切断及び接続作業の簡略化又は省略化を実現する間接活線用直線スリーブカバーを提供すること。
【解決手段】間接活線用直線スリーブカバー１は、電線を切断した際の一方の電線端末を覆う第１筒部１２、及び第１筒部１２の片方の端部に固定され、第１筒部１２の内部を通る電線を把持する第１把持部１４を有する第１端末キャップ部１０と、電線を切断した際の他方の電線端末を覆う第２筒部２２、及び第２筒部２２の片方の端部に固定され、第２筒部２２の内部を通る電線を把持する第２把持部２４を有する第２端末キャップ部２０と、を備え、第１筒部１２の先端部は、第２筒部２２の先端部が挿入可能な開口を有し、第１筒部１２の先端部に第２筒部２２の先端部が挿入された状態で互いに係合する係合部３０を有する。
【選択図】図１【図１】
0005897684.tif 000002
【図２】
0005897684.tif 000003
【図３】
0005897684.tif 000004
【図４】
0005897684.tif 000005
【図５】
0005897684.tif 000006